(57)【要約】【課題】シート原稿読み取り用ガラス付近から、回り込んでくる紙粉および粉塵等が光学ユニットのミラー等に付着しないようにする画像形成装置を提供することにある。【解決手段】シート原稿読み取り位置が、スキャナ原稿読み取り待機時のホームポジションとなり、一定時間、読み取り準備および読み取り動作がない場合、予熱モード等のエネルギ低消費モードに移行する画像形成装置Ａにおいて、前記エネルギ低消費モードに移行する直前に、前記シート原稿読み取り位置から光学ユニット１を移動させる。【選択図】        図２
2004252315.tif 000002
【特許請求の範囲】
【請求項１】
シート原稿読み取り位置が、スキャナ原稿読み取り待機時のホームポジションとなり、一定時間、読み取り準備および読み取り動作がない場合、予熱モード等のエネルギ低消費モードに移行する画像形成装置において、前記エネルギ低消費モードに移行する直前に、前記シート原稿読み取り位置から光学ユニットを移動させることを特徴とする画像形成装置。
【請求項２】
画像読み取り部上部の圧板または、オ−トドキュメントフィ−ダの開閉の検知をする検知機能を有し、前記開閉検知が圧板または、前記オ−トドキュメントフィ−ダが開いていると検知した場合のみ、前記エネルギ低消費モードに移行する直前に、前記シート原稿読み取り位置から前記光学ユニットを移動させることを特徴とする請求項１記載の画像形成装置。
【請求項３】
前記エネルギ低消費モードに移行する直前に、前記光学ユニットを移動させるさい、ホームポジション検知手段によるホームポジション検知が、検出外となる位置まで移動してから前記エネルギ低消費モードに移行することを特徴とする請求項１または２記載の画像形成装置。
【請求項４】
前記エネルギ低消費モードに移行する直前に、前記光学ユニットを移動させ、停止する位置をその画像読み取りユニット内の白基準板端部とすることを特徴とする請求項１ないし３のいずれか１項に画像形成装置。
【発明の詳細な説明】
【０００１】
【発明の属する技術分野】
本発明は、シート原稿読み取り位置が、スキャナ原稿読み取り待機時のホームポジションとなり、一定時間、読み取り準備および読み取り動作がない場合、または画像形成装置自体に動作が無い場合に、予熱モード等のエネルギ低消費モードに移行することができる画像形成装置に関するものである。
【０００２】
【従来の技術】
画像読み取り装置およびかかる画像読み取り装置を備えた画像処理装置は従来から知られている（特許文献１、および特許文献２参照）。
【０００３】
【特許文献１】
特開２００１−２９８５９２号公報
【特許文献２】
特開２０００−１８４１３３号公報
【０００４】
【発明が解決しようとする課題】
画像形成装置は、原稿を照明するための光源と、この光源で照明された原稿からの反射光を導くミラーと、導かれた反射光を結像させるレンズと、このレンズで結像された原稿画像を読み取るための走査手段を駆動するパルスモ−タとを備えている。
【０００５】
かかる画像形成装置においては、シート原稿読み取り位置が、スキャナ原稿読み取り待機時のホームポジションとなり、一定時間、読み取り準備および読み取り動作がない場合、または画像形成装置自体に動作が無い場合に、予熱モード等のエネルギ低消費モードに移行することができる。
【０００６】
このように、常時、スキャナ原稿読み取り待機時のホームポジション位置に光学ユニットがある場合、シート原稿搬送時に、紙質のよくない原稿等により、紙粉が発生し、シート原稿読み取り位置のシート原稿読み取り用ガラス付近に、その紙粉が溜まり易い。
【０００７】
また、画像読み取り装置が粉塵等の環境条件が良くない場所に設置されていると、そのシート原稿読み取り用ガラス付近の隙間より、光学ユニットのミラー等に紙粉および粉塵等が付着し、スジ状の異常画像が発生し易くなる。
【０００８】
そこで本発明の目的は、上記の問題点を解決するために、シート原稿読み取り用ガラス付近から、回り込んでくる紙粉および粉塵等が光学ユニットのミラー等に付着しないようにする画像形成装置を提供することにある。
【０００９】
【課題を解決するための手段】
前記の課題を解決するために、請求項１記載の発明では、シート原稿読み取り位置が、スキャナ原稿読み取り待機時のホームポジションとなり、一定時間、読み取り準備および読み取り動作がない場合、予熱モード等のエネルギ低消費モードに移行する画像形成装置において、前記エネルギ低消費モードに移行する直前に、前記シート原稿読み取り位置から光学ユニットを移動させる画像形成装置を最も主要な特徴とする。
【００１０】
請求項２記載の発明では、画像読み取り部上部の圧板または、オ−トドキュメントフィ−ダの開閉の検知をする検知機能を有し、前記開閉検知が圧板または、前記オ−トドキュメントフィ−ダが開いていると検知した場合のみ、前記エネルギ低消費モードに移行する直前に、前記シート原稿読み取り位置から前記光学ユニットを移動させる請求項１記載の画像形成装置を主要な特徴とする。
【００１１】
請求項３記載の発明では、前記エネルギ低消費モードに移行する直前に、前記光学ユニットを移動させるさい、ホームポジション検知手段によるホームポジション検知が、検出外となる位置まで移動してから前記エネルギ低消費モードに移行する請求項１または２記載の画像形成装置を主要な特徴とする。
【００１２】
請求項４記載の発明では、前記エネルギ低消費モードに移行する直前に、前記光学ユニットを移動させ、停止する位置をその画像読み取りユニット内の白基準板端部とする請求項１ないし３のいずれか１項に画像形成装置を主要な特徴とする。
【００１３】
【発明の実施の形態】
以下、図面により本発明の実施の形態を詳細に説明する。図１は本発明の画像形成装置の全体を示す斜視図である。図２は図１の画像形成装置の画像読み取り部の構成を説明する概略図である。
【００１４】
図１および図２において、画像形成装置Ａには、光学ユニット１が存在し、その光学ユニット１内には、光源および両端支持された第１ミラーよりなる第１ミラーユニット２、そして、やはり両端支持された第２ミラーよりなる第２ミラーユニット３が設けられている。
【００１５】
画像形成のための制御基板または、ホストコンピュ−タから送られてくる１ライン毎の画像読み取り要求の信号に応じて、第１ミラーユニット２および第２ミラーユニット３はそれぞれ２：１の速度で原稿に沿って移動しながら逐次画像の読み取りを行うように構成されている。
【００１６】
ＡＤＦ（オ−トドキュメントフィ−ダ）Ｂより搬送されたシ−ト原稿が、シ−ト原稿読み取り用ガラス７上を搬送されるさいに、原稿の画像は、下方の光源より照明され、その反射光が第１ミラー２、第２ミラー３、第３ミラー３を介して結像レンズ４により結像され、結像された画像がＣＣＤ等の読み取りセンサ５によって電気信号に変換され、その後画像形成のための制御基板または、ホストコンピュータ等へ転送される。
【００１７】
図３は画像読み取り動作待機時のシ−ト原稿読み取り用ガラスと光学ユニットの近傍を説明する概略図である。読み取り動作待機時に、光学ユニット１は、シート原稿読み取り位置（ホームポジション）にて待機し、そのさい、ホームポジション検知センサ９（図２参照）によって、光学ユニット１がホームポジションにあることを検知し続けている。
【００１８】
図４は画像形成装置がエネルギ低消費モード時にあるときのシ−ト原稿読み取り用ガラスと光学ユニットの近傍を説明する概略図である。この画像形成装置Ａは、一定時間、読み取り準備および読み取り動作がない場合、または、画像形成装置Ａ自体に動作がない場合、予熱モード等（操作部の表示部が表示されない状態等）のエネルギ低消費モードに移行する。
【００１９】
一般に、エネルギ低消費モードに移行後、復帰するさいに、光学ユニット１が正規のホームポジションにあるか不明なため、ホーミング動作（ホームポジション検知センサをオフ／オンする往復動作）を行う。
【００２０】
その後、シェーディング動作（白基準板６を読み取り、画像補正制御を行う動作）を行い、ホームポジション位置に光学ユニット１を移動させ、停止した後、読み取り準備完了となり、読み取り動作が行える状態になる。
【００２１】
本発明では、圧板またはＡＤＦであるＢの開閉検知センサ１０が開いていると検知した場合のみ、エネルギ低消費モードに移行する直前に、光学ユニット１を移動させ、ホームポジション検知センサ９がオフとなる位置で、しかも、白基準板６端部になる位置にて停止させ、エネルギ低消費モードに移行する。
【００２２】
通常モードに復帰するさいに、ホームポジション検出センサ９が、オフとなっていて、白基準板６の端部位置に光学ユニット１が存在しているため、ホームポジション位置に戻る動作をするさいに、光源を点灯させ、シェーディングを行い、ホームポジションに光学ユニット１が戻ったところで、光学ユニット１を停止させ、読み取り準備完了となり、読み取り動作が行える状態になる。
【００２３】
【発明の効果】
以上説明したように、請求項１によれば、一定時間、読み取り準備および読み取り動作がない場合または画像形成装置自体に動作がない場合、予熱モード等（操作部の表示部が表示されない状態等）のエネルギ低消費モードに移行する直前に、シート原稿読み取り用ガラス付近の隙間より光学ユニットを移動させてから、エネルギ低消費モードに移行させることによって、シート原稿読み取り用ガラス付近から、回り込んでくる紙粉および粉塵等が光学ユニットのミラー等に付着しないようにすることが可能となる。
【００２４】
請求項２によれば、画像読み取り部上部の圧板または、ＡＤＦの開閉検知部が、圧板または、ＡＤＦが開いていると検知した場合（シート原稿読み取り用ガラス付近から、回り込んでくる紙粉および粉塵等の影響を受けやすい状態）のみ、シート原稿読み取り用ガラス付近の隙間より光学ユニットを移動させてから、エネルギ低消費モードに移行させることによって、シート原稿読み取り用ガラス付近から、回り込んでくる紙粉及び粉塵等が光学ユニットのミラー等に付着しないようにし、かつ、光学ユニットを動作させるために必要なエネルギ使用量を最小限にすることが可能となる。
【００２５】
請求項３によれば、エネルギ低消費モードに移行する直前に、光学ユニットを移動させるさい、ホームポジション検知手段によるホームポジション検出が、検出外の位置まで移動してから、前記エネルギ低消費モードに移行することによって、従来行っている次回の通常エネルギモードに復帰したさいの読み取り準備動作（ホームポジション位置検出動作）の往復動作を省略し、復帰時間を早くすることが可能となる。
【００２６】
請求項４によれば、エネルギ低消費モードに移行する直前に、光学ユニットを移動させるさい、画像読み取り部の白基準板の端部位置まで移動してから、前記エネルギ低消費モードに移行することにより、従来行っている次回の通常エネルギモードに復帰したさいの読み取り準備動作（シェーディング動作）の往復動作の往路側動作を省略し、復帰時間を早くすることが可能となる。
【図面の簡単な説明】
【図１】本発明の画像形成装置の全体を示す斜視図である。
【図２】図１の画像形成装置の画像読み取り部の構成を説明する概略図である。
【図３】画像読み取り動作待機時のシ−ト原稿読み取り用ガラスと光学ユニットの近傍を説明する概略図である。
【図４】画像形成装置がエネルギ低消費モード時にあるときのシ−ト原稿読み取り用ガラスと光学ユニットの近傍を説明する概略図である。
【符号の説明】
Ａ  画像形成装置
Ｂ  圧板（または、ＡＤＦ）
１  光学ユニット
２  第１ミラーユニット
３  第２ミラーユニット
４  結像レンズ
５  ＣＣＤセンサ
６  白基準板
７  シ−ト原稿読み取り用ガラス
８  スケ−ル
９  ホームポジション検知センサ
１０  圧板またはＡＤＦ開閉検知センサ
【図１】
2004252315.tif 000003
【図２】
2004252315.tif 000004
【図３】
2004252315.tif 000005
【図４】
2004252315.tif 000006